(57)【要約】      （修正有）【課題】天板のみを交換可能であり、運搬・保管のために小さな体積でコンパクトに収容できるパチスロ機用キャビネットであって、天板にかかる応力に対して十分な強度を持ったものを提供する。【解決手段】天板１と、背板４と、底板５と、右側板２と、左側板３とを備え、板の接触部分である８つの接触辺において接触する２枚の板が結合する結合機構を備える。前記結合機構は２枚の板を局所的に離脱可能に結合させる局所結合部を備え、各々の前記接触辺について１以上備えるものであるものを提供する。前記局所結合部を鬼目ナットにボルトを貫入することで実現し、強度を保つ。【選択図】図１
0003182687.tif 000002
【実用新案登録請求の範囲】
【請求項１】
天板と、背板と、底板と、右側板と、左側板とを備え、
前記天板と前記背板、前記天板と前記右側板、前記天板と前記左側板、前記背板と前記右側板、前記背板と前記左側板、前記底板と前記背板、前記底板と前記右側板及び前記底板と前記左側板の接触部分である８つの接触辺において接触する２枚の板が結合する結合機構を備え、
前面が開口されたパチスロ機用キャビネットであって、
前記結合機構は２枚の板を局所的に離脱可能に結合させる局所結合部を、各々の前記接触辺について１以上備えるものであり、
接触する２枚の板の一方が天板である３つの接触辺（天板接触辺）の各々について、前記局所結合部のうち少なくとも１つは、鬼目ナットにボルトを貫入する鬼目ナット結合部であることを特徴とする、パチスロ機用キャビネット。
【請求項２】
前記局所結合部を、各々の前記接触辺について２以上備えるものであることを特徴とする、請求項１に記載のパチスロ機用キャビネット。
【請求項３】
前記天板接触辺の各々について、前記鬼目ナット結合部のうち少なくとも１つが、前記鬼目ナットが前記背板、前記右側板又は前記左側板の切り口に埋設され前記ボルトが前記天板を貫通する単純結合であることを特徴とする、請求項１又は２に記載のパチスロ機用キャビネット。
【請求項４】
前記天板と前記右側板、前記天板と前記左側板の２つの接触辺（天板側方接触辺）の各々について、前記鬼目ナット結合部のうち少なくとも１つが、前記天板に埋設された前記鬼目ナット及び前記背板、前記右側板又は前記左側板に埋設された鬼目ナットにボルトを貫入してＬ字金具を内側に固定するＬ字結合であることを特徴とする、請求項１〜３のいずれか１項に記載のパチスロ機用キャビネット。
【請求項５】
２つの前記天板側方接触辺の各々について、その前記結合機構は１つまたは２つ以上のＬ字結合と１つまたは２つ以上の単純結合を含み、
２つの前記天板側方接触辺の一方の前記Ｌ字結合は天板側方接触辺の中央よりも背板側に設けられ、他方のＬ字結合は天板側方接触辺の中央よりも前面側に設けられたものであることを特徴とする、請求項４に記載のパチスロ機用キャビネット。
【請求項６】
キャビネットの内側が導電性シート又は導電性塗料で被覆され、前記Ｌ字金具が導電性のものであることを特徴とする、請求項４又は５に記載のパチスロ機用キャビネット。
【考案の詳細な説明】
【技術分野】
【０００１】
本考案は、パチスロ機用キャビネットに関するものである。
【背景技術】
【０００２】
パチスロ機（パチンコ型のスロットマシン）は、前面が開口したキャビネットに格納される。パチンコ店においては、キャビネットを並べてパチスロ機を配置し、客に遊技をさせる。
パチスロ機は相当の重量を有するため、パチスロ機の格納されるキャビネットはその重量に起因する応力によって疲弊していく。特に、パチスロ機の上部に配されるキャビネットの天板は、パチスロ機を固定するためのボルト等が貫通し、そのボルト等に大きな応力がかかるため、疲弊の進行が早い。このため、再利用する際は、天板のみを交換可能であることが好ましい。
また、パチスロ機用キャビネットの運搬、保管のためには、小さな体積でコンパクトに収容できることが好ましい。
【０００３】
特許文献１には、天板が着脱可能であり、他の板（背板、底板、右側板及び左側板）を分離して小体積に収容することのできるパチスロ機用キャビネットが開示されている。
しかし、特許文献１のパチスロ機用キャビネットは、小さな取付金具を用いて天板を左右の側板に取付け、天板と背板とを結合させていない。これでは、天板にパチスロ機を固定した場合にパチスロ機から天板にかかる応力が小さな取付金具に集中してしまいその箇所でキャビネットが破損してしまう。すなわち、特許文献１のパチスロ機用キャビネットは、天板にパチスロ機を固定するような使用方法においては、実質的な強度が不足している。
【先行技術文献】
【特許文献】
【０００４】
【特許文献１】登録実用新案第３１４５４１５号公報
【考案の概要】
【考案が解決しようとする課題】
【０００５】
天板のみを交換可能であり、運搬・保管のために小さな体積でコンパクトに収容できるパチスロ機用キャビネットであって、天板にかかる応力に対して十分な強度を持ったものを提供すること。
【課題を解決するための手段】
【０００６】
本考案のパチスロ機用キャビネットは、
天板と、背板と、底板と、右側板と、左側板とを備え、
前記天板と前記背板、前記天板と前記右側板、前記天板と前記左側板、前記背板と前記右側板、前記背板と前記左側板、前記底板と前記背板、前記底板と前記右側板及び前記底板と前記左側板の接触部分である８つの接触辺において接触する２枚の板が結合する結合機構を備え、
前面が開口されたパチスロ機用キャビネットであって、
前記結合機構は２枚の板を局所的に離脱可能に結合させる局所結合部を、各々の前記接触辺について１以上備えるものであり、
接触する２枚の板の一方が天板である３つの接触辺（天板接触辺）の各々について、前記局所結合部のうち少なくとも１つは、鬼目ナットにボルトを貫入する鬼目ナット結合部であることを特徴とする。
【０００７】
「局所的に離脱可能に結合させる」とは、２枚の板をボルト止め等によって略１点で固定し、通常の使用時（パチスロ機を格納してホールに設置した状態）には固定されているが、ボルトを外す等の所定の操作によって２枚の板の固定を解除できることを言う。特許文献１のように通常の使用時に所定の操作をせずに持ち上げるだけで容易に固定を解除できるものを含まない。固定を解除して、運搬・保管のために小さな体積でコンパクトに収容することが可能になる。
かかる結合としては、鬼目ナットにボルトを貫入するものが好ましい。強固な結合を得ることができる。パチスロ機から天板にかかる応力に対する耐性が問題となるので、３つの天板接触辺に鬼目ナット結合部を設ける。むろん、他の接触辺に鬼目ナット結合部を設けても差し支えない。
【０００８】
本考案のパチスロ機用キャビネットは、
前記局所結合部を、各々の前記接触辺について２以上備えるものであることを特徴とする。
【０００９】
局所結合部は略１点で固定するものであるため、１つの接触辺について１つだけを備えた場合には、その１点を中心とする回転力への耐性が小さくなる。各々の接触辺について２以上備えることで、回転力への耐性を高める。
【００１０】
本考案のパチスロ機用キャビネットは、
前記天板接触辺の各々について、前記鬼目ナット結合部のうち少なくとも１つが、前記鬼目ナットが前記背板、前記右側板又は前記左側板の切り口に埋設され前記ボルトが前記天板を貫通する単純結合であることを特徴とする。
【００１１】
極めて単純に鬼目ナット結合部を形成するものであり、製造コストが小さくなる。
【００１２】
本考案のパチスロ機用キャビネットは、
前記天板と前記右側板、前記天板と前記左側板の２つの接触辺（天板側方接触辺）の各々について、前記鬼目ナット結合部のうち少なくとも１つが、前記天板に埋設された前記鬼目ナット及び前記背板、前記右側板又は前記左側板に埋設された鬼目ナットにボルトを貫入してＬ字金具を内側に固定するＬ字結合であることを特徴とする。
【００１３】
Ｌ字金具は、９０度の角度で２枚の板を固定するのに広く用いられている。十分な強度を得ることができるものである。
【００１４】
本考案のパチスロ機用キャビネットは、
２つの前記天板側方接触辺の各々について、その前記結合機構は１つまたは２つ以上のＬ字結合と１つまたは２つ以上の単純結合を含み、
２つの前記天板側方接触辺の一方の前記Ｌ字結合は天板側方接触辺の中央よりも背板側に設けられ、他方のＬ字結合は天板側方接触辺の中央よりも前面側に設けられたものであることを特徴とする。
【００１５】
Ｌ字結合は単純結合よりも強度が高い。２つの天板側方接触辺の一方では背板側にＬ字結合を設け、他方では前面側にＬ字結合を設けることで、背板側・前面側の両方の強度を確保する。
【００１６】
本考案のパチスロ機用キャビネットは、
キャビネットの内側が導電性シート又は導電性塗料で被覆され、前記Ｌ字金具が導電性のものであることを特徴とする。
【００１７】
パチスロ機本体の機能のために、キャビネットの内側を導電性シート又は導電性塗料で被覆することが多い。天板と、背板又は側板との導電性を保つためである。この際、Ｌ字金具が導電性のものであることにより、十分な導電性を得ることが容易になる。
【考案の効果】
【００１８】
天板のみを交換可能であり、運搬・保管のために小さな体積でコンパクトに収容できるパチスロ機用キャビネットであって、天板にかかる応力に対して十分な強度を持ったものが提供される。
【図面の簡単な説明】
【００１９】
【図１】図１は、パチスロ機用キャビネットを示す図である。（実施例１）
【図２】図２は、天板接触辺を示す図である。（実施例１）
【図３】図３は、単純結合の鬼目ナット結合部を示す図である。（実施例１）
【図４】図４は、パチスロ機用キャビネットを示す図である。（実施例２）
【図５】図５は、Ｌ字結合の鬼目ナット結合部を示す図である。（実施例２）
【考案を実施するための形態】
【００２０】
以下、本考案を用いた実施例を示す。
【実施例１】
【００２１】
図１は、パチスロ機用キャビネットを示す図である。天板１、右側板２、左側板３、背板４及び底板５が結合され、前面が開口されている。（ａ）は前面側からの斜視図、（ｂ）は後面側からの斜視図である。なお、図においては、見やすさを重視し、板の厚みを実際よりも厚く描いてある。（他の図においても同様。）
ボルト６が設けられ、天板と背板、天板と右側板、天板と左側板、背板と右側板、背板と左側板、底板と背板、底板と右側板及び底板と左側板を局所的に結合させている。結合される２枚の板はそれぞれ、２本以上のボルトによって、しっかりと固定されている。
一方、ボルトを外すことによって２枚の板は分離可能である。運搬・保管の際には、全ての固定を解除し５枚の板を重ねて、小さな体積でコンパクトに収容できる。
【００２２】
図２は、天板接触辺を示す図である。天板は、右側板、左側板及び背板に接触し、これらの板との間に接触辺を有する。これら３つの天板接触辺を図に太線で示す。なお、太実線で示した２つの辺は天板側方接触辺である。３つの天板接触辺については、ボルトを鬼目ナットに貫入してある。天板を貫通するパチスロ機を固定するためのボルト等にかかる大きな応力から天板を支えるためである。
なお、他の接触辺についても、鬼目ナットを用いて強度を高めることができる。
【００２３】
図３は、単純結合の鬼目ナット結合部を示す図である。（ａ）に示すとおり、右側板、左側板及び背板の切り口に鬼目ナット９が埋設され、ボルト６が天板を貫通して鬼目ナット９に貫入されている。（ａ）は天板と右側板との結合を示すものであるが、他の天板接触辺についても同様である。
鬼目ナット９とボルト６の断面を（ｂ）に示す。鬼目ナットの突起１０によって、鬼目ナット９は板に強固に固定されている。ボルト６は、鬼目ナット９の内部に嵌合される。
応力は鬼目ナット９とボルト６に集中するが、鬼目ナット９は板に強固に固定されているので、鬼目ナット９とボルト６の間の小さな空隙が応力を逃がし、キャビネットが破損してしまうことがない。
【実施例２】
【００２４】
本実施例は、実施例１においては鬼目ナットが右側板又は左側板の切り口に埋設された単純結合であったものの一部を、Ｌ字金具を用いたＬ字結合に替えるものである。他の部分は実施例１と同様であるので、説明を省略する。
【００２５】
図４は、パチスロ機用キャビネットを示す図である。実施例１において３つの天板接触辺に存在した６つの単純結合のうちの２つをＬ字結合に替えたものである。なお、後面側からの斜視図は省略する。
Ｌ字金具１１が、パチスロ機用キャビネットの内側に固定されている。Ｌ字金具のうち板に隠れて見えない部分を点線で示す。
Ｌ字金具１１は、十分な導電性を持つものである。
天板と右側板とを結合するＬ字結合は背板側に設けられ、天板と左側板とを結合するＬ字結合は前面側に設けられている。
【００２６】
図５は、Ｌ字結合の鬼目ナット結合部を示す図である。図は、天板と左側板とを結合するＬ字結合のものである。なお、図においては、見やすさを重視し、板、Ｌ字金具、ボルトの間隔を実際よりも大きく描いてある。
天板１及び左側板３は、その板面に鬼目ナット９が埋設されている。Ｌ字金具１１は、鬼目ナット９の内部に嵌合されるボルト６によって、固定される。
【００２７】
キャビネットの内側を導電性シートで被覆して、板面同士の導電を持たせることができる。この場合、十分な導電性を持つＬ字金具１１は、導電性を高めている。
【産業上の利用可能性】
【００２８】
天板のみを交換可能であり、運搬・保管のために小さな体積でコンパクトに収容できるパチスロ機用キャビネットであって、天板にかかる応力に対して十分な強度を持ったものであり、多くの遊技機メーカーによる利用が期待できる。
【符号の説明】
【００２９】
１    天板
２    右側板
３    左側板
４    背板
５    底板
６    ボルト
７    天板側方接触辺
８    天板接触辺
９    鬼目ナット
１０  鬼目ナットの突起
１１  Ｌ字金具
【図１】
0003182687.tif 000003
【図２】
0003182687.tif 000004
【図３】
0003182687.tif 000005
【図４】
0003182687.tif 000006
【図５】
0003182687.tif 000007